(57)【要約】【課題】固定収納部及び移動収納部内部の両空間の湿度を適正に維持できて、衛生状態を高めるとともに収納物の長期保存を可能とする収納装置を提供する。【解決手段】前面が開口した縦長箱状の固定収納部と、この固定収納部より幅狭の縦長箱状をなすとともに、固定収納部の前面に沿って水平にスライド可能に支持された移動収納部とを具え、前記移動収納部は、その背板が吸放湿板を用いて形成され、さらには、前記背板が移動収納部の後部側に着脱可能に取り付けられていることを特徴とする。【選択図】図１
2008167998.tif 000002
【特許請求の範囲】
【請求項１】
前面が開口した縦長箱状の固定収納部と、この固定収納部より幅狭の縦長箱状をなすとともに、固定収納部の前面に沿って水平にスライド可能に支持された移動収納部とを具え、
前記移動収納部は、その背板が吸放湿板を用いて形成されていることを特徴とする収納装置。
【請求項２】
前記背板は、移動収納部の後部側に着脱可能に取り付けられていることを特徴とする請求項１記載の収納装置。
【請求項３】
前記吸放湿板は、珪藻土を含んで成形された板材であることを特徴とする請求項１又は２記載の収納装置。
【請求項４】
前記吸放湿板は、ＡＬＣのリサイクル粉を含んで成形された板材であることを特徴とする請求項１又は２記載の収納装置。
【発明の詳細な説明】
【技術分野】
【０００１】
本発明は、書棚、飾り棚、食器棚、下駄箱、クローゼットなどを含む収納装置に関する。
【背景技術】
【０００２】
前面が開口する固定収納部と、この固定収納部と同じ高さ、かつ幅狭に形成されるとともに前記固定収納部の前面に移動可能に支持された移動収納部とからなる前後に二重の収納部を形成した移動収納装置が提案されている（例えば、特許文献１参照）。
【０００３】
この移動収納装置においては、スペース活用率を高めることによって大きな収納量が確保され、かつ収納位置を容易に確認できることから収納物の出し入れが容易に行なえる利点がある。
【０００４】
【特許文献１】実開平７−３６７６８号公報
【発明の開示】
【発明が解決しようとする課題】
【０００５】
しかしながら、食器棚に対して充分に乾燥していない食器類を収納したり、下駄箱において雨に濡れた履物を収納する場合などには、カビが繁殖し易いことから、衛生状態が低下するとともに、革製品の外観を低下させる問題がある。一方書棚に長期間書物を保管すると、特に湿度の高い梅雨時において、書物にシミ、黄ばみなどを生じることがある。
【０００６】
本発明は、移動収納部の背板を吸放湿板を用いて形成することを基本とし、固定収納部及び移動収納部内部の両空間の湿度を適正に維持きる収納装置の提供を課題としている。
【課題を解決するための手段】
【０００７】
前記目的を達成するために、請求項１に係る発明では、前面が開口した縦長箱状の固定収納部と、この固定収納部より幅狭の縦長箱状をなすとともに、固定収納部の前面に沿って水平にスライド可能に支持された移動収納部とを具え、前記移動収納部は、その背板が吸放湿板を用いて形成されていることを特徴とする。
【０００８】
請求項２に係る発明のおいて、前記背板は、移動収納部の後部側に着脱可能に取り付けられていることを特徴とする。
【０００９】
請求項３に係る発明において、前記吸放湿板は、珪藻土を含んで成形された板材であり、請求項４に係る発明において、前記吸放湿板は、ＡＬＣのリサイクル粉を含んで成形された板材であることを特徴とする。
【発明の効果】
【００１０】
請求項１に係る発明においては、移動収納部の背板を吸放湿板によって形成しているため、移動収納部内部の空気の湿度が適度に推移することから収納物が常に良好な湿度環境の中に収容される。更には、移動収納部がその前部に移動する際に、その背板から固定収納部の内部に対しても吸放湿して良好な環境に維持することができる。
【００１１】
請求項２に係る発明のように、移動収納部の背板を着脱可能に取り付けると、梅雨時などに背板が過度に吸湿した場合には、これを取り外して天日干することにより、放湿させて簡単に吸放湿機能をリフレッシュできる。或いは、定期的な背板の交換によって、常に清潔で高い調湿機能を維持することができる。
【００１２】
請求項３に係る発明のように、珪藻土を含んで成形された板材を採用すると、珪藻土は内外に通じる０．１〜０．２μ程度の無数の細孔を有し、木炭に比べ数千倍の微細、超多孔質な構造を持つため、吸湿性、吸着性、脱臭性、保温性に優れる。特に吸湿した水分を再び放出する呼吸性（調湿性）という優れた特性を持つため、移動収納部、及び固定収納部の内部を収納に適した湿度に維持することにより、収納物を最適な空気環境の中で保存することができる。
【００１３】
請求項４に係る発明のように、ＡＬＣのリサイクル粉を含んで成形された板材を採用すると、高い吸放湿性能を発揮することから収納物を好適の保存できる。更には、廃ＡＬＣ資源を再活用することから、資源の有効活用を推進して地球環境破壊を抑制できる。
【発明を実施するための最良の形態】
【００１４】
以下、本発明の実施の一形態を、図示例とともに説明する。図１に示すように、収納装置１は、固定収納部２と移動収納部３とからなり、本形態では玄関などに設置されて履物、雨具などを収容する下駄箱の場合が例示される。
【００１５】
前記固定収納部２は、前面が開口した縦長の箱状をなし、本形態では横断面コ字状に連結された一対の側板１１、１１の後端を後板１２で連結するとともに、その上に上板１３を載置固着し、また下部には下板１４を固着して構成している。本形態の上板１３は、前方に延長した鍔部１５を設けている。なおこの鍔部１５の下面には、横方向にのびる下向き溝状の上レール１６が形成される。
【００１６】
本形態では図１、２に示すように、平面視横長矩形状の基板１７の後側の領域に前記固定収納部２を載置固着し、基板１７は固定収納部２から前方に食み出した領域によって、前記鍔部１５に対して向き合う張出し部１８を設けている。この張出し部１８の上面には、横に平行にのびる一対の浅溝状の下レール１９が形成される。
【００１７】
さらに本形態の固定収納部２では、前記上板１３、下板１４の間に垂直な２枚の仕切り板２０を設けることによって、収納部内部を３つの空間に区切っている。そして各々区切られた縦長の空間毎に、上下に平行に隔設した多段の棚板２１を取り付けている。この棚板２１はダボピン（図示せず）を用いて、高さ調節可能に、前記側板１１、仕切り板２０の間に架け渡される。棚板２１を設けることなく上下に連続した収納空間として、ゴルフバック、スキー板など縦長の収納物を収容するように構成することも良い。
【００１８】
前記移動収納部３は図１に示すように、前記固定収納部２と略同じ高さを有し、固定収納部２よりも横幅が狭い縦長箱状に形成される。本形態では、固定収納部２の仕切り板２０で仕切られた一つの収納空間と同じ横幅に形成された移動収納部３が２個設けられる。そして各移動収納部３には、蝶番で支持して前面を開閉する片開きタイプの扉板２６を取り付けている。
【００１９】
移動収納部３の底板２２の四隅には、前記下レール１９に向き合う４個の車輪２３が取り付けられる。従って車輪２３が固定収納部２の下レール１９内を転動することにより、移動収納部３は固定収納部２の前面に沿って横方向にスライド移動可能に支持される。また移動収納部３の天板２４には、前記上レール１６内に移動可能に挿入される支持ピン２５を立設している。この支持ピン２５が上レール１６内を移動することによって、移動収納部３の前記スライド移動がスムースに支持され、移動収納部３の転倒を防止している。
【００２０】
前記の如く、固定収納部２の前面に水平スライド可能に設けられた一対の移動収納部３が、図３（Ａ）、或いは（Ｃ）に示すように、平面視右側、或いは左側に揃って移動すると、固定収納部２の左側、或いは右側の収納領域が開放されて収納物のチェック、出し入れ作業を行なうことができる。また図３（Ｂ）に示すように、各々の移動収納部３を左右に振り分けて移動させると、固定収納部２の中央領域が開放される。このように移動収納部３を移動させて、背面の固定収納部２を便利に活用でき、全体の使い勝手を高めつつ、スペース全体を有効に使った収容量の大きな便利な収納ができる。
【００２１】
本発明では、前記移動収納部３の前記天板２４の後端部及び底板２２の後端部の間にのびて後側の仕切りを構成する背板４として、吸放湿板５を用いることを特徴としている。このように移動収納部３の後部に取り付けられた背板４の後面は、固定収納部２に向いて配置される。また本形態では、移動収納部３にも多段の棚板２１を隔設しているため、この棚板２１間で区画された収納空間毎に、小割りされた矩形状の背板４を設けている。しかし移動収納部３の後側全面を覆う大きさの背板４を設けることもできる。
【００２２】
前記吸放湿板５は、珪藻土、ゼオライト、セピオライトなどの多孔質鉱物、アタバルジャイト、モンモリロナイト、ゾノトライト、活性白土などの粘土鉱物の他、シリカゲル、アロフェン、イモゴライト、炭類等の調湿材を用い、高温の炉中で焼成することにより成形される。本形態では、珪藻土を含んで成形した板材を用いている。珪藻土は、１３００万〜９００万年前に海、湖で浮遊していた植物プランクトン（藻）の死骸が堆積し、長い年月を経て化石化したものであり、珪酸ガラス質を主成分とする。また珪藻土は石川県、秋田県、大分県など全国各地で産出する。その中でも稚内産の珪藻土は、吸放湿に最適な２４〜６２オングストローム程度の細孔が非常に多いため、他の珪藻土に比べて３倍以上の調湿性を発揮するなど、優れた特性を持つ。
【００２３】
焼成タイプの吸放湿板５は、調湿材に粘土、火成岩などを加えた焼成材料を湿式粉砕した泥漿を、スプレー造粒により顆粒状に加工した後、例えば１３〜３０％程度の含水率に調整し、更に得られた粒状の焼成材料を板状にプレス成形した上、例えば８００〜１０００℃程度の温度で焼成して得られる。非焼成タイプの吸放湿板５の製造は、調湿材に、セメント、石膏等の水硬性材料を配合し、水分を加えた混練物を板状にプレス成形して、養生硬化させる。焼成しないため熱に弱い調湿材を使用できる点で好ましい。珪藻土、粘土鉱物など、調湿材自体が水硬性を備える場合、水硬性材料の配合は必要ではない。
【００２４】
移動収納部３の背板４にこのような吸放湿板５を用いているため、移動収納部３の内部の空気が吸放湿されて、その湿度が適度に推移することから、移動収納部３の収納物が常に良好な湿度環境の中で収容される。更には、移動収納部３がその前部に移動する際に、移動収納部３の背板４から固定収納部２内部の収納空間に対しても吸放湿するため、固定収納部２の内部も湿度を良好な環境に維持することができる。
【００２５】
また本形態では、珪藻土を含んだ吸放湿板５を用いる。この珪藻土は内外に通じる０．１〜０．２μ程度の無数の細孔を有し、木炭に比べ数千倍の微細、超多孔質な構造を持つため、吸湿性、吸着性、脱臭性、保温性に優れ、特に吸湿した水分を再び放出する呼吸性（調湿性）という優れた特性を持つため、移動収納部３、及び固定収納部２の内部を収納に適した湿度に維持することにより、収納物を最適な空気環境の中で保存することができる点で好ましい。
【００２６】
前記吸放湿板５は珪藻土を含んで形成する以外に、ＡＬＣのリサイクル粉を用いて形成することもできる。前記ＡＬＣのリサイクル粉は、ＡＬＣ製品を切断、切削など加工する際に発生する切削粉、或いは原板加工による生じる破材、建物の解体により生じる廃材を粉砕して得られるＡＬＣの粉砕粉などが含まれ、従来は廃棄処分していたものである。
【００２７】
吸放湿板５を製造する方法は、先ずこれらのＡＬＣのリサイクル粉１００重量部に対して、水を例えば４０〜６０重量部の割合で混合して得られた混合物を、例えばタイルの成形型を用いて、例えば５〜３０ＭＰａ程度の圧力で加圧して成形する。このようにして得られた成形体を、炭酸ガス雰囲気下での炭酸化反応によって養生硬化させて吸放湿板５が得られる。
【００２８】
水の混合量が４０重量部未満であると、加圧成形時に水による粒子間の結合が十分でないため、強度が小さくなり、大形化するとその周縁部から中心に向かって亀裂が発生し易くなる。逆に水の混合量が６０重量部を越えると前駆体の成形時に余剰の水を出すために余分な加圧エネルギーを必要とする。また加圧力が５ＭＰａ未満では、成形体は緻密にならず、成形体そのもののハンドリングが困難になる。逆に３０ＭＰａを越えると成形体が緻密になり過ぎて炭酸化反応が遅くなり、また大形成形体の場合には巨大なプレス機が必要になる。
【００２９】
ＡＬＣのリサイクル粉と水とを混合すると、この水が前記リサイクル粉同士を流動化する流動化剤として作用するだけでなく、成形体のバインダーとして作用し、同時に炭酸化反応時に発生する炭酸ガスを溶解して炭酸にする。また前記成形体を炭酸ガスの雰囲気下で養生すると、この成形体を構成するＡＬＣのケイ酸カルシウム水和物が炭酸の水素イオンにアタックされ、カルシウムイオンを溶出する。このカルシウムイオンは、炭酸水素イオン又は炭酸イオンと反応して炭酸水素カルシウム又は炭酸カルシウムになるとともに、炭酸硬化成形体を強度を補強する。カルシウムイオンが溶出されてしまったケイ酸カルシウム水和物は結局細孔を多数有するシリカスケルトンゲルになり、この細孔が炭酸硬化成形体の比表面積の増大をもたらし、優れた吸放湿性能を発揮することから、移動収納部３及び固定収納部２内の収納物を好適に保存できる。更には、廃ＡＬＣ資源を再活用することから、資源の有効活用を推進して地球環境破壊を抑制できる。
【００３０】
また本形態の背板４は図２に示すように、その上下端を、移動収納部３の天板２４、底板２２の後端部、及び後横桟２８に各々設けた支持溝２７に挿入することにより、所謂けんどん式によって支持されている。従って背板４は、簡単な操作によって取外し可能に支持されることから、梅雨時などに背板４が過度に吸湿した場合には、これを取り外して天日干することにより、放湿させて簡単に吸湿機能をリフレッシュできる。或いは、背板４を定期的に交換することによって、常に清潔で高い調湿機能を維持することができる。また、背板４は専用金具、ビス固定などの手段によって着脱可能に取り付けることもできる。
【００３１】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３２】
【図１】本発明の一実施の形態を例示する斜視図である。
【図２】その縦断面図である。
【図３】（Ａ）（Ｂ）（Ｃ）は、各々異なる使用状態を説明する平面図である。
【符号の説明】
【００３３】
１      収納装置
２      固定収納部
３      移動収納部
４      背板
５      吸放湿板
【図１】
2008167998.tif 000003
【図２】
2008167998.tif 000004
【図３】
2008167998.tif 000005